(57)【要約】【課題】符号誤り率の劣化を生じることなくPAPRの低減を実現する。【解決手段】多重化された送信サンプル又は送信チップの各シンボル毎に、その各サンプル信号P0(0)〜P0(N-1)を入力し、特定のサンプル信号のペア毎に（例えば、P0(0)とP0(N/2)のペア）、加算器２１によってこのサンプル信号のペアの和を求め、この電力を減衰器２３によって１／２に減衰した分散信号P1(N/2)と、減算器２２によってこのサンプル信号のペアの差を求め、この電力を減衰器２３によって１／２に減衰した分散信号P1(0)とを生成・出力する。分散信号P1(0)、P1(N/2)は、各々、上記シンボル内を分割してなる第１サブシンボル、第２サブシンボルに対応付けられる。【選択図】図２
2008011508.tif 000002
【特許請求の範囲】
【請求項１】
送信機と受信機を備えた通信システムであって、
前記送信機は、
多重化された送信サンプル又は送信チップの各シンボル毎に、該シンボル内の各送信電力を測定し、該測定値が予め設定された閾値を超えるか否かを検出する送信電力ピーク検出手段と、
前記シンボル内の各送信電力を、該シンボル内を分割して成る複数のサブシンボルに分散することで、分散信号を生成・出力する電力分散手段とを有し、
前記送信電力ピーク検出手段によって前記測定値が予め設定された閾値を超えることが検出された場合には、前記電力分散手段から出力される前記分散信号を用いて前記受信機に対する送信を行い、
前記受信機は、
前記送信機が送信した信号を受信すると、該受信信号の各シンボル毎に、前記分散信号であるか否かを検出する分散検出手段と、
該分散検出手段によって前記分散信号であることが検出された場合、該シンボル内で前記複数のサブシンボルに分散された電力を合成する電力合成手段と、
を有することを特徴とする通信システム。
【請求項２】
多重化された送信サンプル又は送信チップの各シンボル毎に、該シンボル内の各送信電力を測定し、該測定値が予め設定された閾値を超えるか否かを検出する送信電力ピーク検出手段と、
前記シンボル内の各送信電力を、該シンボル内を分割して成る複数のサブシンボルに分散することで、分散信号を生成・出力する電力分散手段とを有し、
前記送信電力ピーク検出手段によって前記測定値が予め設定された閾値を超えることが検出された場合には、前記電力分散手段から出力される前記分散信号を用いて任意の受信機に対する送信信号を出力することを特徴とする送信機。
【請求項３】
任意の送信機が送信した信号を受信すると、該受信信号の各シンボル毎に、シンボル内の各送信電力を該シンボル内を分割して成る複数のサブシンボルに分散することで生成される分散信号であるか否かを検出する分散検出手段と、
該分散検出手段によって前記分散信号であることが検出された場合、該シンボル内で前記複数のサブシンボルに分散された電力を合成する電力合成手段と、
を有することを特徴とする受信機。
【請求項４】
前記送信電力ピーク検出手段が前記測定値が前記閾値を超えたことを検出した場合、前記シンボル内の送信電力を複数のサブシンボルに分散したことを示す分散表示信号を生成する分散表示信号生成手段と、
該分散表示信号を前記送信信号に多重化する分散表示信号多重化手段と、
を更に有することを特徴とする請求項２記載の送信機。
【請求項５】
前記分散検出手段に代えて、前記受信信号から電力分散有無を示す分散表示信号を抽出し、この分散表示信号に基づいて送信電力の分散の有無を検出する分散表示信号検出手段を更に有することを特徴とする請求項３記載の受信機。
【請求項６】
ＯＦＤＭ変調方式の通信である場合、
２つの分散検出用信号を用いて、ガードバンド又は未使用サブキャリアの帯域に、２つの分散検出用のサブキャリアを追加する分散信号多重化手段を更に有することを特徴とする請求項２記載の送信機。
【請求項７】
ＯＦＤＭ変調方式の通信である場合、
前記受信信号が、ガードバンド又は未使用サブキャリアの帯域に、分散検出用のサブキャリアが追加されている信号である場合には、
前記分散検出手段に代えて、該分散検出用のサブキャリアを利用して送信電力の分散の有無を検出する分散検出用信号検出手段を更に有することを特徴とする請求項３記載の受信機。
【請求項８】
ＣＤＭ変調方式の通信である場合、
２つの分散検出用信号に対して未使用の拡散符号を用いて拡散処理を行う拡散手段を更に有することを特徴とする請求項２記載の送信機。
【請求項９】
ＣＤＭ変調方式の通信である場合、
前記受信信号に、２つの分散検出用信号が未使用の拡散符号によって拡散されてなる検出用信号が含まれている場合には、
前記分散検出手段に代えて、該検出用信号を利用して送信電力の分散の有無を検出する分散検出用信号検出手段を更に有することを特徴とする請求項３記載の受信機。
【請求項１０】
送信機と受信機を備えた通信システムにおける通信方法であって、
前記送信機側では、多重化された送信サンプル又は送信チップの各シンボル毎に、該シンボル内の送信電力が所定の閾値を超えるか否かを検出し、閾値を越えたシンボルに関しては、該シンボル内の送信電力を、該シンボル内を分割して成る複数のサブシンボルに分散させた分散信号を生成して、該分散信号を前記受信機に送信し、
前記受信機側では、受信信号が前記分散信号であるか否かを検出し、分散信号である場合には、前記複数のサブシンボルに分散された電力を合成することを特徴とする通信方法。
【発明の詳細な説明】
【技術分野】
【０００１】
本発明は、通信システム等に係わり、特に、周波数分割多重通信方式又は符号分割多重通信方式を用いて、ディジタル通信を行う通信システム等に関する。
【背景技術】
【０００２】
ディジタル通信方式において、周波数分割多重通信方式又は符号分割多重通信方式を用いて通信を行う方式は、送信ピーク電力と送信平均電力比（PAPR）が大きくなる。PAPRを考慮して送信電力増幅器は設計されるため、消費電力が大きくかつ小型化が困難となるという問題がある。
【０００３】
この問題を解決する従来技術して、ピーク抑圧技術がある。
この様な従来技術の例として、例えば特許文献１、特許文献２に記載の発明がある。
特許文献１に記載の発明では、送信データをＩＤＦＴ部でＯＦＤＭ変調してＯＦＤＭ信号を生成し、生成したマルチキャリア信号の抑圧の要否の有無を判定し、抑圧が必要と判定したマルチキャリア信号を均等抑圧回路で均等に抑圧し、ピーク電圧部分をクリッピング回路でクリッピングすることにより、ピーク電圧を抑圧する。このように、送信ピーク電力がある閾値を超える場合にクリッピング処理を行い、PAPRを軽減する。
【０００４】
特許文献２に記載の発明では、しきい値以上の振幅レベルのピークが検出されると、ピークカット部は検出されたピークをしきい値まで抑圧し、切り替え部はピーク抑圧後の信号をＦＦＴ部に出力する。
【特許文献１】特開２００２−７７０９７号公報
【特許文献２】特開２００５−１０１９７５号公報
【発明の開示】
【発明が解決しようとする課題】
【０００５】
従来の送信電力ピーク抑圧技術では、送信信号に対してクリッピング処理を施すが、クリッピング処理は非線型処理であるので、符号間干渉等を生じ、符号誤り率の劣化を生じる。
【０００６】
本発明の課題は、上記のような課題に鑑み、符号誤り率の劣化を生じることなくPAPRの低減を実現できる通信システム、その送信機、受信機等を提供することである。
【課題を解決するための手段】
【０００７】
本発明の通信システムは、送信機と受信機を備えた通信システムであって、前記送信機は、多重化された送信サンプル又は送信チップの各シンボル毎に、該シンボル内の各送信電力を測定し、該測定値が予め設定された閾値を超えるか否かを検出する送信電力ピーク検出手段と、前記シンボル内の各送信電力を、該シンボル内を分割して成る複数のサブシンボルに分散することで、分散信号を生成・出力する電力分散手段とを有し、前記送信電力ピーク検出手段によって前記測定値が予め設定された閾値を超えることが検出された場合には、前記電力分散手段から出力される前記分散信号を用いて前記受信機に対する送信を行い、前記受信機は、前記送信機が送信した信号を受信すると、該受信信号の各シンボル毎に、前記分散信号であるか否かを検出する分散検出手段と、該分散検出手段によって前記分散信号であることが検出された場合、該シンボル内で前記複数のサブシンボルに分散された電力を合成する電力合成手段とを有する。
【０００８】
上記通信システムでは、PAPRを軽減する必要が生じた場合、シンボル内の各送信電力を、当該シンボル内を分割して成る複数のサブシンボルに分散させた分散信号を生成して、この分散信号を用いて受信機側への送信を行う。受信機側では、受信信号が分散信号である場合には、電力合成手段によって元の状態に戻す。但し、その為には、受信機側で、受信信号が分散信号であるか否かを判定できるようにする必要がある。上記構成では、分散検出手段を用いているが、これ以外にも、様々な構成が考えられる。
【０００９】
まず、第１の構成では、送信機は、前記送信電力ピーク検出手段が前記測定値が前記閾値を超えたことを検出した場合、前記シンボル内の送信電力を複数のサブシンボルに分散したことを示す分散表示信号を生成する分散表示信号生成手段と、該分散表示信号を前記送信信号に多重化する分散表示信号多重化手段とを有する。一方、受信機は、上記分散検出手段の代わりに、前記受信信号から電力分散有無を示す分散表示信号を抽出し、この分散表示信号に基づいて送信電力の分散の有無を検出する分散表示信号検出手段を更に有する。
【００１０】
また、上記通信システムでは、上記の通り、多重化された送信サンプル又は送信チップを用いている。すなわち、ＯＦＤＭ変調方式の通信、又はＣＤＭ変調方式の通信を行う通信システムである。
【００１１】
第２の構成は、ＯＦＤＭ変調方式の通信システムの場合の構成である。
この場合、送信機は、２つの分散検出用信号を用いて、ガードバンド又は未使用サブキャリアの帯域に、２つの分散検出用のサブキャリアを追加する分散信号多重化手段を更に有する。一方、受信機は、上記分散検出手段の代わりに、上記分散検出用のサブキャリアを利用して送信電力の分散の有無を検出する分散検出用信号検出手段を更に有する。
【００１２】
第３の構成は、ＣＤＭ変調方式の通信システムの場合の構成である。
この場合、送信機は、２つの分散検出用信号に対して未使用の拡散符号を用いて拡散処理を行う拡散手段を更に有する。一方、受信機は、上記分散検出手段の代わりに、上記検出用信号を利用して送信電力の分散の有無を検出する分散検出用信号検出手段を更に有する。
【発明の効果】
【００１３】
本発明の通信システム、その送信機、受信機等によれば、符号誤り率の劣化を生じることなくPAPRの低減を実現できる。以って、消費電力が小さくなり、小型化を実現できる。
【発明を実施するための最良の形態】
【００１４】
以下、図面を参照して本発明の実施の形態について説明する。
図１、図３に、本例のディジタル通信システムの第１の基本構成図を示す。図１には送信機の構成、図３には受信機の構成を示す。但し、ここでは、送信機、受信機において本発明による新規構成部分のみを示すものとし、送信機、受信機における一般的な構成は省略してある。その意味で、図１、図３に示す構成は、以下の説明では送信機１０、受信機３０と呼んでいるが、送信機内に設けられるピーク電力分散ユニット１０、受信機内に設けられるピーク電力逆分散ユニット３０等と呼んでも良い。
【００１５】
図１に示す送信機１０は、シリアル・パラレル変換部１１、電力分散部１２、送信電力ピーク検出部１３、選択部１４、パラレル・シリアル変換部１５、及び各種タイミング信号生成回路１６を有する。
【００１６】
シリアル・パラレル変換部１１は、多重化された送信データ（多重化された送信サンプル（ＯＦＤＭの場合）、又は多重化された送信チップ（ＣＤＭＡの場合））を入力し、１シンボル分ずつパラレル信号に変換する。以後、このパラレル信号の各信号を“サンプル信号”と呼ぶものとする。
【００１７】
送信電力ピーク検出部１３は、この各サンプル信号毎の送信電力を測定し、少なくとも１つのサンプル信号の送信電力が予め設定された閾値を超えたか否かを検出して、この検出信号を選択部１４に出力する。上記閾値は、適切と思われる値を任意に設定すればよいが、好ましくは、例えば、閾値＝「１シンボル内の平均電力」、「“１シンボル内のトータル電力−任意の値Ｓ（Ｓは３(dB）以下の値）”よりも大きな値」（当然、トータル電力よりは小さな値）等とする。また、別の観点からは、好ましくは、その送信電力が閾値を越えるサンプル信号が２つ以上とならないように閾値を設定する。
【００１８】
電力分散部１２は、上記１シンボル内の送信電力を複数のサブシンボルに分散する。詳しくは、まず、サブシンボルとは上記１シンボルを分割したものであり、本説明では２分割するが、この例に限らない。本説明では２分割するので、サブシンボルは２つとなる。電力分散部１２は、上記１シンボル内の各サンプル信号の送信電力を、２つのサブシンボルに分散する。電力分散部１２の詳細構成は、図２（ａ）に示し、後に詳細に説明する。
【００１９】
シリアル・パラレル変換部１１の出力、及び電力分散部１２の出力は、選択部１４に入力される。選択部１４は、送信電力ピーク検出部１３から出力される検出信号に応じて、シリアル・パラレル変換部１１の出力信号、電力分散部１２の出力信号の何れか一方の出力信号を選択・出力する。
【００２０】
パラレル・シリアル変換部１５は、選択部１４の出力信号をシリアル信号に変換する。
各種タイミング信号生成回路１６は、シンボルタイミング信号を入力し、このシンボルタイミング信号に基づいて、上記各種構成部１１〜１４、１５の動作タイミングを決める各種タイミング信号を生成・出力する。また、各種タイミング信号生成回路１６は、シリアル・パラレル変換部１１、電力分散部１２、送信電力ピーク検出部１３、及びパラレル・シリアル変換部１５に対して、シンボルタイミング信号に基づいて生成した各種タイミング信号を出力する。
【００２１】
パラレル・シリアル変換部１５から出力されるシリアル信号は、不図示の送信部によって、受信機に対して送信される。
図２（ａ）に上記電力分散部１２の構成例を示す。
【００２２】
図示の電力分散部１２は、複数のサンプル信号の和を出力する加算器２１と、複数のサンプル信号の差を出力する減算器２２と、上記加算機２１、減算器２２の出力信号の電力を減衰する減衰器２３とを備える。
【００２３】
ここでは、上記の通り、サンプル単位の送信電力を2つのサブシンボルに分散する。また、図示の例では、サンプル信号はP0(0）〜P0(N-1）のＮ個あるものとする。この場合、加算器２１はＮ／２個、減算器２２もＮ／２個設けられる。また、ここでは、減衰器２３は上記加算機２１、減算器２２の出力信号の電力を１／２（半分）に減衰するものとする。
【００２４】
そして、任意の２つのサンプル信号のペア毎に、加算器２１による加算、減算器２２による減算を行い、この加算結果、減算結果を減衰器２３によって１／２に減衰する。
上記２つのサンプル信号のペアは、任意でもよいが、同じサブシンボル内のサンプル信号同士をペアにすることは避けたほうがよい。上記２つのサンプル信号のペアは、図示の例では、サンプル信号P0(n）（ｎ；整数）に対してはサンプル信号P0（N/2+n）が対応付けられる。よって、例えば、サンプル信号P0(0）とサンプル信号P0（N/2）、サンプル信号P0(１）とサンプル信号P0（N/2+1）等がペアとなる。
【００２５】
例えば、サンプル信号P0(0）とサンプル信号P0（N/2）のペアを例にすると、減算器２２によって、サンプル信号P0(0）とサンプル信号P0（N/2）との差を求め、これを減衰器２３によって１／２に減衰した信号を、分散信号P1(0）として出力する。また、加算器２１によって、サンプル信号P0(0）とサンプル信号P0（N/2）との和を求め、これを減衰器２３によって１／２に減衰した信号を、分散信号P1（N/2）として出力する。分散信号P1(0）は第１サブシンボル、分散信号P1（N/2）は第２サブシンボルに対応する。そして、この様な処理を、「シンボル内の（サンプル信号の）各送信電力を複数のサブシンボルに分散する」又は「分散信号を生成する」というものとする。
【００２６】
同様に、サンプル信号P0(1）とサンプル信号P0（N/2+1）のペアの場合、減算器２２によって、サンプル信号P0(1）とサンプル信号P0（N/2+1）との差を求め、これを減衰器２３によって１／２に減衰した信号を、分散信号P1(1）として出力する。また、加算機２１によって、サンプル信号P0(1）とサンプル信号P0（N/2+1）との和を求め、これを減衰器２３によって１／２に減衰した信号を、分散信号P1（N/2+1）として出力する。
【００２７】
以上述べた処理を全てのサンプル信号のペアについて実行することで、１シンボル内の送信電力を2つのサブシンボルに分散することができる。
以上説明したことを式で表すと、以下の（１）式の通りとなる。
【００２８】
【数１】
2008011508.tif 000003
例えば、１シンボルの送信信号の電力分布の一例を図２（ｂ）に示す。同図では、送信信号がシリアル信号のときを示しているので、横軸は時間ｔである。これは図２（ｃ）も同様である。
【００２９】
図示の例では、サンプル信号P0(1）に電力のピークが生じた場合を示す。
この場合、サンプル信号P0(1）の電力は、上記（１）式により、2つのサブシンボルに分散され、図２（ｃ）に示す通り、サンプル信号P0(1）の電力は、分散信号P1(1）と分散信号P1（N/2+1）に分散される。そして、図２（ｃ）に示す電力分布を有する分散信号P1が、選択部１４に対して出力される。
【００３０】
また、図２（ｂ）に示すサンプル信号P0(1）のピーク電力が、上記閾値を越えているとするならば、送信電力ピーク検出部１３によって閾値を越えたことが検出され、検出信号は選択部１４に対して検出結果が出力される。これより、選択部１４は、電力分散部１２の出力（分散信号P1）を選択して、パラレル・シリアル変換部１５に出力する。この場合、パラレル・シリアル変換部１５は、この分散信号をシリアル信号に変換して出力する。
【００３１】
以上述べたようにして、送信信号のピーク電力を複数のサブシンボルに分散して送信することが可能となる。
図３は、上記の通り、受信機の構成ブロック図である。
【００３２】
図示の受信機３０は、シリアル・パラレル変換部３１、シンボルタイミング検出部３２、各種タイミング信号生成部３３、電力合成部３４、分散検出部３５、選択部３６、パラレル・シリアル変換部３７から成る。
【００３３】
シリアル・パラレル変換部３１は、上記送信機１０からの送信信号を受信すると、この受信信号（受信サンプル又は受信チップという）を各シンボル毎にパラレル信号に変換する。シリアル・パラレル変換部３１の出力は、電力合成部３４、分散検出部３５、及び選択部３６に入力される。このパラレル信号の各々を、以下、受信サンプル信号と呼ぶものとする。
【００３４】
シンボルタイミング検出部３２は、この受信信号から上記シンボルタイミング信号を抽出して、これを各種タイミング信号生成部３３に出力する。各種タイミング信号生成部３３の動作は、上記送信機１０の各種タイミング信号生成部１６と略同様であり、受信機３０内の各機能部の動作を同期させる為の各種タイミング信号をシンボルタイミング信号に基づいて生成して、各機能部（シリアル・パラレル変換部３１、電力合成部３４、分散検出部３５、パラレル・シリアル変換部３７）に対して出力する。
【００３５】
電力合成部３４は、受信信号が上記複数のサブシンボルへの分散が行われた信号であるか否かに係らず、複数のサンプル信号を合成する処理を実行し、処理結果として得られる合成信号を、選択部３６及び分散検出部３５に出力する。
【００３６】
分散検出部３５は、シリアル・パラレル変換部３１の出力信号（受信信号）と電力合成部３４の出力信号（合成信号）とを入力して、受信信号が、上記分散信号であるか否かを検出して、この検出信号を選択部３６に出力する。
【００３７】
選択部３６は、上記分散検出部３５からの検出信号に応じて、上記シリアル・パラレル変換部３１の出力信号（受信信号）と電力合成部３４の出力信号（合成信号）の何れか一方を選択出力する。当然、検出信号が「受信信号は分散信号である」ことを示す信号である場合には、電力合成部３４の出力信号（合成信号）を選択出力する。
【００３８】
パラレル・シリアル変換部３７は、選択部３６の出力信号をシリアル信号に変換する。
図４（ａ）に上記電力合成部３４の構成例を示す。
図示の電力合成部３４は、複数の受信サンプル信号の和を求める加算器４１と、複数の受信サンプル信号の差を求める減算器４２とを備える。ここでは、送信機１０側における上記図２（ａ）に示す構成例に応じて構成例を示す。よって、受信サンプル信号は図４（ａ）に示す通りP2(0）〜P2(N-1）のＮ個あるものとする(信号P2は上記信号P0、P1の何れかとなる）。また、加算器４１はＮ／２個、減算器４２もＮ／２個設けられる。
【００３９】
そして、上記図２（ａ）の場合と同様、２つの受信サンプル信号のペア毎に、加算器２１による加算、減算器２２による減算を行い、これら加算器２１、減算器２２の出力を、合成信号として出力する。尚、受信サンプル信号P2(0）〜P2(N-1）は、上記サンプル信号P0(0）〜P0(N-1）と分散信号P1(0）〜P1(N-1）の何れか一方に相当する。すなわち、もし、送信機側で上記分散処理が行われている場合には、受信サンプル信号P2(0）〜P2(N-1）は分散信号P1(0）〜P1(N-1）に相当する。
【００４０】
上記２つのサンプル信号のペアは、図４（ａ）に示す例では、受信サンプル信号P2(n）（ｎ；整数）に対しては受信サンプル信号P2（N/2+n）が対応付けられる。よって、例えば、受信サンプル信号P2(0）と受信サンプル信号P2（N/2）、受信サンプル信号P2(１）と受信サンプル信号P2（N/2+1）等がペアとなる。
【００４１】
例えば、受信サンプル信号P2(0）と受信サンプル信号P2（N/2）のペアを例にすると、減算器４２によって、受信サンプル信号P2(0）と受信サンプル信号P2（N/2）との差を求め、これを合成信号P3(N/2）として出力する。また、加算機４１によって、受信サンプル信号P2(0）と受信サンプル信号P2（N/2）との和を求め、これを合成信号P3（0）として出力する。
【００４２】
同様に、受信サンプル信号P2(1）と受信サンプル信号P2（N/2+1）のペアの場合、減算器４２によって、受信サンプル信号P2(1）と受信サンプル信号P2（N/2+1）との差を求め、これを合成信号P3(N/2+1）として出力する。また、加算機４１によって、受信サンプル信号P2(1）と受信サンプル信号P2（N/2+1）との和を求め、これを合成信号P3（1）として出力する。
【００４３】
以上述べた処理を全ての受信サンプル信号のペアについて実行することにより、2つのサブシンボルの受信電力を合成することができる。
以上説明したことを式で表すと、以下の（２）式の通りとなる。
【００４４】
【数２】
2008011508.tif 000004
例えば、上記図２（ｃ）に示す信号を受信した場合、受信信号は、図４（ｂ）に示す通り、サンプル信号P0(1)に生じていたピーク電力が、分散信号P1(1)と分散信号P1(Ｎ／２）に分散された電力分布を有する信号となっている。この受信信号に対して上記（２）式で表される合成処理を行うことで、合成信号P3の電力分布は、図４（ｃ）に示す通り、元通りとなっている。
【００４５】
図５、図７に、本例のディジタル通信システムの第２の基本構成図を示す。図５には送信機の構成、図７には受信機の構成を示す。ここで、上記の通り、受信機側では、受信信号が分散信号であるか否かを検出する必要があるが、この分散有無の検出方法が、第１の基本構成と第２の基本構成とで異なる。逆に言えば、それ以外の構成は、同じであってよい。従って、図５、図７において、図１、図３と同一構成には同一符号を付しており、その説明は省略する。尚、第１の基本構成に係る分散有無検出方法は、後に説明する。
【００４６】
図５に示す通り、送信機５０は、図１に示す送信機１０の構成に、更に、分散表示信号多重化部５１、及び分散表示信号生成部５２とが加わっている。
分散表示信号生成部５２は、各種タイミング信号生成部１６から出力される各種タイミング信号のうち、タイミング信号ａを入力する。このタイミング信号ａは、上記シンボルタイミング信号に基づいて生成される。また、分散表示信号生成部５２は、送信電力ピーク検出部１３が出力する検出信号ｂを入力する。そして、これら入力信号ａ，ｂに基づいて、分散表示信号を生成・出力する。分散表示信号は、送信信号が上記分散信号P1であるか否かを示す信号である。
【００４７】
分散表示信号多重化部５１は、パラレル・シリアル変換部１５の出力信号に上記分散表示信号を多重化する。
図６（ａ）に上記分散表示信号生成部５２の構成ブロック図を示す。
【００４８】
本例では、上記分散表示信号をBPSK信号として生成する例を示す。
図示の分散表示信号生成部５２は、発振器６１、ＮＯＴ回路６２、スイッチ６３、スイッチ６４、及びON/OFF信号生成部６５を有する。
【００４９】
発振器６１は所定周波数の信号を出力する。本例では、その周期がシンボル長の半分である信号が生成・出力される。
各シンボルのタイミングは、タイミング信号ａに基づいて決定されている。図８（ｂ）に示す通り、タイミング信号ａの立ち下がりが、各シンボルの始まりとなる。タイミング信号ａは、上記の通り、シンボルタイミング信号に基づいて生成されるものであり、図６（ｂ）に示す通り、各シンボルの前半で‘０’(Low）、後半で‘１’（High）となる信号である。
【００５０】
検出信号ｂは、ここでは、各シンボル毎に、何れか１つ以上のサンプルの送信電力が上記閾値を越えた場合に‘１’となる。
図６（ｂ）には、任意の２つのシンボル（第１シンボル、第２シンボル）を示しており、第１シンボルに関しては検出信号ｂは‘０’であり、第２シンボルに関しては検出信号ｂは‘１’である。
【００５１】
ON/OFF信号生成部６５は、上記タイミング信号ａと検出信号ｂを入力し、これら入力信号ａ，ｂに従って、スイッチ６４に対するＯＮ／ＯＦＦ制御信号を生成・出力する。図６（ｂ）に示す通り、検出信号ｂが‘０’であるときには常にＯＮ信号を出力し、検出信号ｂが‘１’のときには、タイミング信号ａが‘０’であればＯＦＦ信号、‘１’であればＯＮ信号を出力する（つまり、タイミング信号ａを出力する）。
【００５２】
また、検出信号ｂはスイッチ６３の切り替え信号となり、スイッチ６３は、検出信号ｂが‘０’のときはＡ側を選択し、‘１’のときはＢ側を選択する。スイッチ６３がＡ側を選択している場合には、発振器６１の出力信号が選択・出力され、Ｂ側を選択している場合にはＮＯＴ回路６２の出力（発振器６１の出力信号の反転信号）が選択・出力される。また、スイッチ６３の出力はスイッチ６４に入力する。
【００５３】
以上述べたことから、第１シンボルに関する分散表示信号は、図６（ｃ）に示す通り、発振器６１の出力信号となる。一方、第２シンボルに関する分散表示信号は、図６（ｄ）に示す通り、第１サブシンボルにおいてはスイッチ６４がＯＦＦになることから信号無しとなり、第２サブシンボルにおいては発振器６１の出力信号の反転信号となる。
【００５４】
上記のような分散表示信号を生成することにより、この分散表示信号を、分散表示信号多重化部５１において、干渉を生じることなく、送信信号に多重化して送出することができる。
【００５５】
次に、図７に示す受信機７０について説明する。
図７に示す通り、受信機７０は、図３に示す送信機３０とほぼ同じ構成であるが、異なる点は、図３の分散検出部３５の代わりに、分散表示信号検出部７１が設けられている点である。
【００５６】
分散表示信号検出部７１は、受信信号と、各種タイミング信号生成部３３が出力するシンボルタイミング信号とを入力し、分散検出部３５と同様、分散の有無を示す検出信号を選択部３６に対して出力する。
【００５７】
図８（ａ）に分散表示信号検出部７１の構成ブロック図を示す。
図示の分散表示信号検出部７１は、タイミング信号生成部８１、スイッチ８２、分散表示信号抽出部８３、直交復調部８４、及び識別器８５を有する。
【００５８】
タイミング信号生成部８１は、入力するシンボルタイミング信号に基づいて、タイミング信号ｃを生成する。このタイミング信号ｃは、図８（ｂ）に示す通り、上記タイミング信号ａと同じであり、各シンボルの前半で‘０’、後半で‘１’となる。スイッチ８２は、タイミング信号ｃによってＯＮ／ＯＦＦ制御され、タイミング信号ｃが‘０’のときにＯＦＦ、‘１’のときにＯＮする。従って、分散表示信号抽出部８３には、各シンボルの前半部分（第１サブシンボルに相当）は入力されず、後半部分（第２サブシンボルに相当）のみ入力されることになる。
【００５９】
従って、分散表示信号抽出部８３は、受信信号から分散表示信号を抽出するものであるが、各シンボル毎に、第２サブシンボルに相当する部分の分散表示信号のみを抽出することになる。尚、分散表示信号抽出部８３は、具体的には、特定の周波数領域のみを通過させるバンドパスフィルタ等である。当然、発振器６１の出力信号の周波数成分のみを通過させる。
【００６０】
そして、抽出された分散表示信号は直交復調部８４に入力され、この直交復調部８４において復調を行い、識別器８５において復調信号の極性を識別することで、受信信号の各シンボルにおける分散の有無を検出する。
【００６１】
図９は、上記第１の基本構成のディジタル通信システムをOFDM変調方式に適用した場合の送信機の構成例である。
図９に示す送信機９０は、シリアル・パラレル変換部９１、送信電力分散部９２、送信電力ピーク検出部９３、選択部９４、パラレル・シリアル変換部９５、各種タイミング信号生成回路９６と、シリアル・パラレル変換部３０１、マッピング回路３０２、ＩＦＦＴ部３０３、及びＰ／Ｓ部（パラレル・シリアル変換部）３０４とを有する。
【００６２】
シリアル・パラレル変換部３０１、マッピング回路３０２、ＩＦＦＴ部３０３、及びＰ／Ｓ部（パラレル・シリアル変換部）３０４は、ＯＦＤＭ方式を採用する既存の送信機における一般的な構成であるので、特に説明しないが、これらの構成３０１〜３０４によって上記“多重化された送信サンプル”が生成される。すなわち、構成３０１〜３０４は、所謂ＯＦＤＭ信号（マッピング処理、ＩＦＦＴ処理等の通常のＯＦＤＭ変調処理が施されたシリアル信号。搬送波周波数の異なる複数のディジタル変調信号より構成され、各搬送波の間には直交関係が存在する）を生成・出力する。このＯＦＤＭ信号が、図１等に示す“多重化された送信サンプル”に相当する。
【００６３】
シリアル・パラレル変換部９１、送信電力分散部９２、送信電力ピーク検出部９３、選択部９４、パラレル・シリアル変換部９５、各種タイミング信号生成回路９６は、上記シリアル・パラレル変換部１１、送信電力分散部１２、送信電力ピーク検出部１３、選択部１４、パラレル・シリアル変換部１５、及び各種タイミング信号生成回路１６と略同様の機能を果たす構成であり、以下、簡単に説明する。
【００６４】
シリアル・パラレル変換部９１は、上記ＯＦＤＭ信号を１シンボル（ＯＦＤＭシンボル）毎にシリアル・パラレル変換する。
送信電力分散部９２は、シリアル・パラレル変換部９１の出力を入力し、１シンボル分の送信電力を複数のサブシンボルに分散する。送信電力ピーク検出部９３は上記OFDMシンボルのピーク電力を検出し、これが設定された閾値を超えているか否かを判定して、判定結果を選択信号として選択部９４に出力する。選択部９４では選択信号に応じてシリアル・パラレル変換部９１の出力信号と送信電力分散部９２の出力の何れか一方を選択・出力する。パラレル・シリアル変換部９５は、選択部９４の出力信号をシリアル信号に変換する。
【００６５】
この様に、閾値を越える送信ピーク電力を検出した場合は、送信電力を複数のサブシンボルに分散して送信することにより、PAPRを軽減することが可能である。
但し、図９に示す構成では、ＩＦＦＴ部３０３の出力信号（パラレル信号）を、Ｐ／Ｓ部３０４でシリアル信号に変換した後、直ちにシリアル・パラレル変換部９１によってパラレル信号に戻しているだけなので、Ｐ／Ｓ部３０４とシリアル・パラレル変換部９１は不要であると言える。よって、図９に示す構成において、Ｐ／Ｓ部３０４とシリアル・パラレル変換部９１とを削除し、シリアル・パラレル変換部９１の出力信号の代わりにＩＦＦＴ部３０３の出力信号を用いる構成としてもよい。すなわち、図９の構成の代わりに図１０に示す構成としてもよい。
【００６６】
図１０において図９に示す構成と同一の構成には、同一符号を付してあり、図示の通り、シリアル・パラレル変換部３０１、マッピング回路３０２、ＩＦＦＴ部３０３を有し、Ｐ／Ｓ部３０４とシリアル・パラレル変換部９１は無くなり、ＩＦＦＴ部３０３の出力信号が、上記サンプル信号として、送信電力分散部９２、送信電力ピーク検出部９３、選択部９４に入力している。
【００６７】
以下、ＯＦＤＭ方式に係る構成例では、上記図１０と同様の理由により、不要なシリアル・パラレル変換、パラレル・シリアル変換に係る構成は削除した構成を示す。また、既存の構成に関しては、省略して示す場合もある。例えば、図１１において、ＦＦＴ部３１１、パラレル・シリアル変換部３１２は、既存のＯＦＤＭ方式の受信機における一般的な構成であるが、既存の逆マッピング処理部等は省略して示してある。
【００６８】
図１１は、図９の送信機９０からの送信信号を受信する受信機１００の構成図である。
図示の受信機１００は、シリアル・パラレル変換部１０１、シンボルタイミング検出部１０２、各種タイミング信号生成部１０３、電力合成部１０４、分散検出部１０５、選択部１０６、ＦＦＴ部３１１、及びパラレル・シリアル変換部３１２から成る。
【００６９】
シリアル・パラレル変換部１０１、シンボルタイミング検出部１０２、各種タイミング信号生成部１０３、電力合成部１０４、分散検出部１０５、及び選択部１０６は、図３に示すシリアル・パラレル変換部３１〜選択部３６と略同様の機能を果たす構成であり、特に説明しない。
【００７０】
また、ＦＦＴ部３１１及びパラレル・シリアル変換部３１２は、上記の通り、既存の構成であるので、特に説明しない。
図１２（ａ）に、上記分散検出部１０５の構成例を示す。
【００７１】
図示の分散検出部１０５は、各ＤＦＴ部111,112,113,114、相関器115,116、及び比較部１１７を有する。各ＤＦＴ部111,112,113,114は、図１１に示す受信信号（１）又は合成信号（２）の何れかを入力し、偶数番目のサブキャリアの何れか１つを対象として（図示の例ではf0,f2のどちらか一方を対象とする。対象とするサブキャリアは予め決められており、且つＤＦＴ部111,112,113,114の全てが同一のサブキャリアを対象とする）、各々所定の条件でDFT（離散フーリエ変換）処理を行う。つまり、ＤＦＴ部111,112,113,114は、その基本的な機能自体は、一般的なＤＦＴ処理（離散フーリエ変換により特定の周波数成分を抜き出す処理）を行うものであるが、以下の条件が加わる。
（ａ）上記“特定の周波数成分”は、上記偶数番目のサブキャリアの何れか１つとすること。
【００７２】
（ｂ）必ずしも１シンボル分を処理するわけではないこと。すなわち、ＤＦＴ部112と113は、１シンボル分を処理するが、ＤＦＴ部111は１シンボルの後半部分（第2サブシンボル時間Ｔ２）を処理し、ＤＦＴ部114は１シンボルの前半部分（第１サブシンボル時間Ｔ１）を処理する。
【００７３】
尚、実際には、受信信号（１）、合成信号（２）はパラレル信号であり、図１２（ａ）に示すT(0）、T(N/2）、T(N-1）等は、このパラレル信号の各信号（上記受信サンプル信号のことであるが、ここでは“サンプル”と呼ぶものとする）を意味する。受信信号（１）、合成信号（２）のパラレル信号は、共に、T(0）〜T(N-1）のＮ個のサンプルより成る。よって、ＤＦＴ部112と113は、サンプルT(0）〜T(N-1）全てを入力してＤＦＴ処理を行うことになる（後の説明では“OFDMシンボル時間ＮでDFT処理を行う”と表現している）。ＤＦＴ部111は、サンプルT(N/2）〜T(N-1）のみを入力してＤＦＴ処理を行うことになる。本例では、Ｎ＝８なので、サンプルT(4）〜T(7）のみを入力してＤＦＴ処理を行うことになる（後の説明では“第2サブシンボル時間Ｔ２でDFT処理を行う”と表現している）。同様に、本例においては、ＤＦＴ部114は、サンプルT(0）〜T（3）のみを入力してＤＦＴ処理を行うことになる（後の説明では“第１サブシンボル時間Ｔ１でDFT処理を行う”と表現している）。
【００７４】
尚、“偶数番目”とは、最初のサブキャリアf0を“０番目”として扱い且つ０番も偶数として扱った場合の表現であり、最初のサブキャリアf0を“１番目”として扱うならば“任意の奇数番目のサブキャリアの何れか１つを処理対象とする”と言えることになる。
【００７５】
よって、別の定義の仕方をするならば、上記f0、f2等は、“通常であればＮ／２周期で繰返す信号”であるといえる。“Ｎ／２周期で繰返す信号”であるのだから、この様な信号は、第１サブシンボルの波形と、第2サブシンボルの波形とが同一となる。また、“通常であれば”とは、本発明を適用しない場合の既存の構成における受信信号であることを意味し、換言すれば「分散無しの場合の受信信号（１）」を意味する。「分散無しの場合の受信信号（１）」は、図１２（ｂ）に示す通りであり、図１２（ｂ）を参照すれば明らかなように、ｆ０とｆ２は、第１サブシンボルの波形と、第2サブシンボルの波形とが同一である。一方、ｆ１は、第１サブシンボルの波形と、第2サブシンボルの波形とが異なる。
【００７６】
以上述べたことから、以後の説明では、上記“Ｎ／２周期で繰返す信号”であるサブキャリアを、“偶数サブキャリア”と呼ぶものとする。
まず、ＤＦＴ部１１１は、シリアル・パラレル変換部１０１の出力（以下、受信信号（１）と記す）を入力し、この受信信号（１）の特定の偶数サブキャリアに対して第2サブシンボル時間Ｔ２でDFT（離散フーリエ変換）処理を行う。
【００７７】
ＤＦＴ部１１３は、受信信号（１）を入力し、上記特定の偶数サブキャリアに対してOFDMシンボル時間ＮでDFT処理を行う。
ＤＦＴ部１１２は、電力合成部１０４の出力信号（以下、合成信号（２）と記す）を入力し、この合成信号（２）の上記特定の偶数サブキャリアに対してOFDMシンボル時間ＮでDFT処理を行う。
【００７８】
ＤＦＴ部１１４は、上記合成信号（２）を入力し、この合成信号（２）の上記特定の偶数サブキャリアに対して第1サブシンボル時間Ｔ１でDFT処理を行う。
相関器１１５は、ＤＦＴ部１１１の出力とＤＦＴ部１１２の出力の相関値を検出する。
【００７９】
相関器１１６は、ＤＦＴ部１１３の出力とＤＦＴ部１１４の出力の相関値を検出する。
比較部１１７は、相関器１１５が検出した相関値と相関器１１６が検出した相関値とを比較し、相関器１１５の相関値のほうが大きい場合には「分散あり」を示す信号を、相関器１１６の相関値のほうが大きい場合には「分散なし」を示す信号を、選択部１０６に対して出力する。
【００８０】
上記の通り、送信機側で分散処理が行われていない場合の受信信号（１）の一例を図１２（ｂ）に示してある。尚、ここでは、説明を分かり易くする為に、受信信号（１）を各サブキャリア成分毎に分けて示してあるが、実際には、当然、受信信号（１）はこれらサブキャリア成分が多重化された状態のままである。これは、図１２（ｃ）〜（ｅ）においても同様であり、更に後述する図１５（ｂ）〜（ｅ）等においても同様である。
【００８１】
尚、図１２（ｂ）〜（ｅ）に示す例において信号ｆ0は周波数０の信号、信号ｆ１はその周期１／ｆ１＝シンボル長となる基本周波数の信号、信号ｆ２は基本周波数の２倍の周波数（ｆ２＝２×ｆ１）の信号である。この意味で上記処理対象とする“偶数サブキャリア”は、“基本周波数の偶数倍（０も含む）の周波数のサブキャリア”と言い換えてもよい。
【００８２】
尚、簡単に図示する為にｆ0〜ｆ２の３チャネルのみを示すが、勿論、他のサブキャリアもあってよい（勿論、その周波数は、基本周波数の整数倍（ｎ×ｆ１；ｎ＝３，４，５、・・・）である）。そして、信号f0,f2等は偶数サブキャリア、信号f1等は奇数番目のサブキャリアである。
【００８３】
上記の通り、図１２（ｂ）には通常のＯＦＤＭの受信信号（１）を示してある。
この場合、ＤＦＴ部１１３において、上記偶数サブキャリアの１つを対象としてOFDMシンボル時間ＮでのDFT処理を行えば、（当然のことながら）サブキャリア間の干渉は生じない。一方、ＤＦＴ部１１１において第２サブシンボル時間Ｔ２でのDFT処理を行えば、サブキャリア間の干渉を受けることになる。尚、ＤＦＴ部111,112,113,114は、例えば図示の例では、サブキャリア間の干渉が生じない場合には‘１’を出力し、サブキャリア間の干渉を受けた場合には‘１’以外の値を出力する。
【００８４】
また、送信機側で分散処理が行われていない場合の受信信号（１）に基づいて電力合成部１０４が生成する合成信号（２）を、図１２（ｃ）に示す。
この場合、ＤＦＴ１１４において上記偶数サブキャリアの１つを対象として第１サブシンボル時間Ｔ１でのＤＦＴ処理を行えば、サブキャリア間の干渉は生じない。
【００８５】
一方、ＤＦＴ１１２において上記偶数サブキャリアの１つを対象としてOFDMシンボル時間ＮでのDFT処理を行えば、サブキャリア間の干渉を受けることになる。
以上述べたように、送信機側で分散処理が行われていない場合には、ＤＦＴ１１３、ＤＦＴ１１４によるＤＦＴ処理結果は、共に、サブキャリア間の干渉がないので、相関器１１６によって検出される相関値は1となる。一方、ＤＦＴ１１１、ＤＦＴ１１２によるＤＦＴ処理結果は、共に、サブキャリア間の干渉を受けるため、相関器１１５によって検出される相関値は1とはならない（相関値＜１）。
【００８６】
従って、上記の通り、比較部１１７によって「分散なし」を示す信号が出力されることになる。
尚、相関器１１５、１１６の機能は、後述する相関器１６５，１６６と同じである。
【００８７】
一方、送信機側で分散処理が行われている場合の受信信号（１）の各サブキャリアの信号例を図１２（ｄ）に示す。図示の通り、偶数サブキャリアは第１サブシンボルにおいて信号無しの状態となり、奇数番目のサブキャリアは、第２サブシンボルにおいて信号無しの状態となる。また、送信機側で分散処理が行われていた場合の受信信号（１）に基づいて電力合成部１０４が生成する合成信号（２）は、図１２（ｅ）に示す通り（元の状態に戻すのであるから当然のことながら）図１２（ｂ）と同じとなる。
【００８８】
従って、送信機側で分散処理が行われていた場合には、ＤＦＴ１１１、ＤＦＴ１１２によるＤＦＴ処理結果は、共に、サブキャリア間の干渉がないので、相関器１１５によって検出される相関値は1となる。一方、ＤＦＴ１１３、ＤＦＴ１１４によるＤＦＴ処理結果は、共に、サブキャリア間の干渉を受けるため、相関器１１６によって検出される相関値は1とならない（相関値＜１）。
【００８９】
従って、上記の通り、比較部１１７によって「分散あり」を示す信号が出力されることになる。
尚、図１２（ｂ）に示す信号は、図２の回路によって、図１２（ｄ）に示す通りの信号となる。例えば図２に示すP0(1）とP0(N/2+1）のペアを例にして加算器２１による加算結果を各サブキャリア成分毎に考えると（P0(1）とP0(N/2+1）は、T(1）とT(5）に相当するものとする）、サブキャリアf0,f2に関しては共に正であるが、サブキャリアf1では正と負（絶対値は同じ）であるので、図１２（ｄ）に示す通り、加算の結果、サブキャリアf1のT(5）の信号は０となる。
【００９０】
図１３は、上記第１の基本構成のディジタル通信システムをＣＤＭ変調方式に適用した場合の送信機の構成例である。
図示の送信機１２０は、シリアル・パラレル変換部１２１、送信電力分散部１２２、送信電力ピーク検出部１２３、選択部１２４、パラレル・シリアル変換部１２５、各種タイミング信号生成回路１２６、拡散コード生成部１２７、拡散器１２８、合成器１２９、及びシリアル・パラレル変換部１３０を有する。
【００９１】
シリアル・パラレル変換部１２１、送信電力分散部１２２、送信電力ピーク検出部１２３、選択部１２４、パラレル・シリアル変換部１２５、各種タイミング信号生成回路１２６は、上記シリアル・パラレル変換部１１、電力分散部１２、送信電力ピーク検出部１３、選択部１４、パラレル・シリアル変換部１５、及び各種タイミング信号生成回路１６と略同様の機能を果たす構成であり、特に説明しない。
【００９２】
また、拡散コード生成部１２７、拡散器１２８、合成器１２９、及びシリアル・パラレル変換部１３０は、ＣＤＭＡ送信機の一般的な構成に過ぎないので、以下、簡単に説明するのみとする。
【００９３】
まず、シリアル・パラレル変換部１３０は、送信データをパラレル信号に変換して、各拡散器１２８に出力する。各拡散器１２８は、拡散コード生成部１２７によって生成された拡散コード（直交コード）の何れかを用いて、シリアル・パラレル変換部１３０からの出力信号を拡散処理する。合成器１２９は、各拡散器１２８の出力を合成する。シリアル・パラレル変換部１２１は、合成器１２９の出力（多重化された送信チップ）を入力して、1シンボル分毎にパラレル信号に変換する。
【００９４】
図１４は、図１３の送信機１２０からの送信信号を受信する受信機の構成図である。
図示の受信機１４０は、シリアル・パラレル変換部１４１、シンボルタイミング検出部１４２、各種タイミング信号生成部１４３、電力合成部１４４、分散検出部１４５、選択部１４６、パラレル・シリアル変換部１４７を有し、これらは図３に示すシリアル・パラレル変換部３１〜パラレル・シリアル変換部３７と略同様の機能を果たす構成であり、特に説明しない。
【００９５】
図示の受信機１４０は、更に、パラレル・シリアル変換部１４８、各相関器１４９、拡散コード生成部１５０を有するが、これらはＣＤＭＡ受信機の一般的な構成に過ぎないので、以下、簡単に説明するのみとする。
【００９６】
上記パラレル・シリアル変換部１４７の出力は、各相関器１４９に入力される。拡散コード生成部１５０は、上記拡散コードのレプリカを生成する。各相関器１４９は、拡散コード生成部１５０によって生成された拡散コードの何れかを用いて逆拡散処理を行い、相関を検出する。パラレル・シリアル変換部１４８は、これら相関器１４９の出力信号をシリアル信号に変換する。
【００９７】
図１５は、図１４に示す分散検出部１４５の詳細構成図である。
図示の分散検出部１４５は、相関器１６１、相関器１６２、相関器１６３、相関器１６４、相関器１６５、相関器１６６、及び比較部１６７を有する。
【００９８】
相関器１６１，１６３は、シリアル・パラレル変換部１４１の出力信号（以下、受信信号（３）と記す）を入力する。相関器１６２，１６４は、電力合成部１４４の出力信号（以下、合成信号（４）と記す）を入力する。
【００９９】
相関器１６１、相関器１６２、相関器１６３、相関器１６４は、その機能自体は、ＣＤＭＡ通信において受信機側で用いられる相関器（相関器１４９）と同様である。但し、相関器１４９では、任意の拡散コードを用いた逆拡散処理を行い、更にシンボル時間で積分処理を行い、積分結果をシンボル時間で割る処理を行うが、相関器１６１〜相関器１６４では、以下に説明するように、任意の拡散コードではなく特定の直交コードを用いる点、及びシンボル時間での積分／除算を行うとは限らない点で、相関器１４９とは異なる。
【０１００】
すなわち、相関器１６１〜１６４は、多重化されたチップである受信信号（３）又は合成信号（４）と特定のコードとを入力して、各々の条件（後述するＮ、Ｔ１，Ｔ２の何れか）に従って相関処理する。上記“特定のコード”とは、上記拡散コード生成部１２７で生成される直交コード（Walshコード）系列のうちの特定のコードである。この“特定のコード”（特定の直交コード）は、以下に説明する条件を満たすコードであればどれでもよいが、相関器１６１〜１６４の全てで同一のコードを用いる。
【０１０１】
上記“特定のコード”とするコードの条件は、Ｎ／２の周期で同じコードを繰返すコードである。これについて、以下、具体例を用いて説明する。
まず、上記拡散コード生成部１２７で用いられるWalsh行列の例（Ｎ＝８）を以下に示す。
【０１０２】
【数３】
2008011508.tif 000005
上記Walsh行列の例の各コードのうち、上記“Ｎ／２の周期で同じコードを繰返すコード”に該当するものは、以下の４つのコードである。
【０１０３】
【数４】
2008011508.tif 000006
上記の通り、例えば、［１１-１-１１１-１-１］のコードは、“１１-１-１” をＮ／２の周期で繰返していることが分かる。
【０１０４】
従って、この例では、相関器１６１〜１６４に入力させるコード系列は、上記４つのコードのうちの何れか１つを選択することになる（どれでもよいが、相関器１６１〜１６４の全てが同じコード系列を用いる必要がある）。以下の説明で具体例を用いて説明する場合には、［１１１１１１１１］のコードを、全ての相関器１６１〜１６４に入力させ、このコード［１１１１１１１１］と入力信号（受信信号（３）又は合成信号（４））との相関処理を実行させるものとして説明する。尚、この場合、当然、後述するＮ個のサンプル信号は、Ｎ＝８となる。
【０１０５】
尚、上述したことから、本手法では、送信機側ではWalshコード等の直交コードを用いて拡散を行うことが必要条件となる。
そして、相関器１６１は受信信号（３）を入力して第２サブシンボル時間Ｔ２で相関処理を行い、相関器１６３は、受信信号（３）を入力してシンボル時間Ｎで相関処理を行う。また、相関器１６２は合成信号（４）を入力してシンボル時間Ｎで相関処理を行い、相関器１６４は合成信号（４）を入力して第１サブシンボル時間Ｔ１で相関処理を行う。
【０１０６】
尚、実際には、受信信号（３）、合成信号（４）はパラレル信号であり、図１５（ａ）に示すT(0）、T(N/2）、T(N-1）等は、このパラレル信号の各信号（サンプルと呼ぶものとする）を意味する。受信信号（３）、合成信号（４）はパラレル信号は、共に、T(0）〜T(N-1）のＮ個のサンプルより成る。よって、例えば、相関器１６１における「受信信号（３）を入力して第２サブシンボル時間Ｔ２で相関処理を行う」とは、受信信号（３）のサンプルT(0）〜T(N-1）のうち、サンプルT(N/2）〜T(N-1）のみを入力して相関処理を行うことを意味する。上記例では、Ｎ＝８なので、サンプルT(4）〜T(7）のみを入力して相関処理を行うことになる（図１５（ｂ）参照）。同様に、“シンボル時間Ｎで相関処理を行う”とは、サンプルT(0）〜T(7）全てを入力して相関処理を行う意味であり、“第１サブシンボル時間Ｔ１で相関処理を行う”とは、サンプルT（0）〜T(3）のみを入力して相関処理を行うことを意味する。
【０１０７】
相関器１６５は、相関器１６１及び１６２の出力を入力し、これら各相関器出力の相関を検出する。相関器１６６は、相関器１６３及び１６４の出力を入力し、これら各相関器出力の相関を検出する。相関器１６５、相関器１６６は、各々、上記２つの入力値が同じ値であれば‘１’を出力し、そうでなければ２つの入力値の差に応じた値（１未満の値となる）を出力する。２つの入力値の差が小さければ‘１’に近い値が出力され、差が大きければ‘０’に近い値が出力される。
【０１０８】
比較部１６７は、相関器１６５，１６６の出力を入力して比較する。
送信機側で分散処理が行われていない場合（「分散なし」の場合）の受信信号（３）、合成信号（４）の内容を図１５（ｂ）、（ｃ）に示す。
【０１０９】
この場合、相関器１６３によってシンボル時間Ｎでの相関処理を行えば、コード間の干渉は生じない。また、第1サブシンボル時間Ｔ１での相関処理(相関器１６４）をおこなえば、コード間の干渉は生じない。このように、相関器１６３による相関処理結果と相関器１６４による相関処理結果は、ともに、コード間の干渉がなく、相関器１６６から出力される相関値は1となる。
【０１１０】
また、受信信号（３）に対する第2サブシンボル時間Ｔ２での相関処理結果（相関器１６１）、合成信号（４）に対するシンボル時間Ｎでの相関処理結果(相関器１６２）は共に、コード間の干渉を受けているため、相関器１６５による相関値は１とはならない。
【０１１１】
一方、送信機側で分散処理が行われている場合（「分散あり」の場合）の受信信号（３）、合成信号（４）を、図１５（ｄ），（ｅ）に示す。
この場合、相関器１６２、相関器１６１の相関処理では共にコード間の干渉が生じないので、相関器１６５による相関値は1となり、相関器１６３、相関器１６４の相関処理ではコード間の干渉が生じるため、相関器１６６による相関値は1とならない。
【０１１２】
比較部１６７は、相関器１６６から出力される相関値の方が相関器１６５出力の相関値よりも大きい場合には、「分散無し」を示す信号を、その逆であれば「分散あり」を示す信号を、選択部１４６に対して出力する。
【０１１３】
上記各ケースについて、相関器１６５／相関器１６６の出力（相関値）が、１になる（又は１にならない）ことについて、以下、上記具体例を用いて確認する。尚、ここでは、データは‘１’であるので、干渉を受けない場合の相関器出力は‘１’となる。
【０１１４】
まず、上記の通り、全ての相関器１６１〜１６４にコード［１１１１１１１１］を入力するものとする。そして、確認方法としては、各相関器１６１~１６４毎に、入力信号（受信信号（３）又は合成信号（４））を構成する各信号（Ｃ０，Ｃ１，Ｃ２）とコード［１１１１１１１１］とを掛け合わせてその総和を求め、この総和を入力サンプル数で除算すればよい（このコード系列の例に限っては、各信号（Ｃ０，Ｃ１，Ｃ２）を積分した結果を入力サンプル数で除算すると考えてもよい）。入力サンプル毎は、上記の通り、相関器１６１、１６４は‘４’、相関器１６２、１６３は‘８’となる。
【０１１５】
図１５（ｂ）、（ｃ）に示す、送信機側で分散処理が行われていない場合を例にすると、先ず、相関器１６３においては、Ｃ０に関してはコード［１１１１１１１１］とを掛け合わせた結果の総和は‘８’となり、Ｃ１，Ｃ２に関しては両方とも‘０’になるので、計‘８’となり、これを入力サンプル数（＝８）で除算すれば、‘１’となる。一方、相関器１６４においては、各信号（Ｃ０，Ｃ１，Ｃ２）の前半部分（T(0）〜T(3））とコードの後半部分［1 1 1 1］とを掛け合わせることになり、Ｃ０，Ｃ２に関しては両方とも‘０’、Ｃ１に関しては‘４’になるので、計‘４’となり、これをサンプル数（＝４）で除算すれば、‘１’になる。よって、この場合、相関器１６６の入力は共に‘１’となるので、相関器１６６は相関値‘１’を出力する。
【０１１６】
一方、相関器１６１では、Ｃ０に関しては‘４’、Ｃ１に関しては‘−４’、Ｃ２に関しては‘０’になるので、合計‘０’となり、除算結果は‘０’となる。相関器１６２では、Ｃ０に関しては‘４’、Ｃ１に関しては‘４’、Ｃ２に関しては‘０’になるので、合計‘８’となり、除算結果は‘１’となる。よって、この場合、相関器１６５の入力は‘０’と‘１’となるので、相関は‘１’とはならない(１よりも小さい値となる）。
【０１１７】
よって、このケースでは、上記説明の通り、相関器１６６から出力される相関値の方が相関器１６５出力の相関値よりも大きいことになる。特に説明しないが、図１５（ｄ），（ｅ）についても、同様の確認を行えば、上記説明通りとなることが確認できる。更に、上記ＯＦＤＭの例（図１２等）におけるＤＦＴ部１１１〜１１４、相関器１１５，１１６に関しても、同様の考え方で確認を行えば、上記説明通りとなることが分かる。
【０１１８】
尚、上記例の場合、「コード間の干渉が生じない」とは、入力するコード［１１１１１１１１］に該当する信号（Ｃ０）以外の信号、すなわちＣ１、Ｃ２各々についての上記総和が‘０’になることを意味する。
【０１１９】
以上、上記第１の基本構成をＯＦＤＭ又はＣＤＭＡに適用した場合の構成例、動作について図示、説明したが、上記第２の基本構成をＯＦＤＭ又はＣＤＭＡに適用した場合の構成例、動作については図示／説明しない。基本的には、図９、図１０、図１３の構成に、図５と同様に分散表示信号生成部５２と分散表示信号多重化部５１を追加し、図１１、図１４の構成に、図７と同様に分散表示信号検出部７１を追加すれば済むからである。第２の基本構成の場合、ＯＦＤＭ、ＣＤＭＡのどちらに適用した場合でも、図６（ａ）図８（ａ）に示す構成を用いれば済む。
【０１２０】
ここで、受信機側で、受信した信号が「送信電力が複数のサブシンボルに分散された」ものであるか否かを判定できるようにする方法は、上記第１、第２の基本構成に関して既に説明した各種方法以外にも、様々な方法が考えられる。その一例を、以下に、他の実施例として説明する。
【０１２１】
まず、他の実施例（その１）について説明する。
図１６は、ＯＦＤＭ変調方式に係る他の実施例における送信機の構成例である。
図１６に示す送信機１７０は、シリアル・パラレル変換部３０１、マッピング回路３０２、電力分散部１７２、送信電力ピーク検出部１７３、選択部１７４、パラレル・シリアル変換部１７５、各種タイミング信号生成回路１７６、及びＩＦＦＴ部１７７を有する。これら各構成の動作は、基本的には図１０に示す送信機９０におけるシリアル・パラレル変換部３０１、マッピング回路３０２、送信電力分散部９２、送信電力ピーク検出部９３、選択部９４、パラレル・シリアル変換部９５、各種タイミング信号生成回路９６、及びＩＦＦＴ部３０３と略同様であるが、異なる点は、ＩＦＦＴ部１７７に、外部から更に２つの分散検出用信号（第１分散検出用信号、第２分散検出用信号）が入力している点である。
【０１２２】
従って、ＩＦＦＴ（逆高速フーリエ変換）部１７７は、マッピング回路３０２の出力を入力すると共に第１分散検出用信号、第２分散検出用信号を入力し、これら入力信号の周波数領域を時間領域に変換する。尚、以下の説明における第１分散検出用信号、第２分散検出用信号は、ＩＦＦＴ（逆高速フーリエ変換）部１７７による処理後の分散検出用信号を意味するものとする。
【０１２３】
これら２つの分散検出用信号は、例えば図１７に示すように、OFDM変調信号のガードバンドに挿入されることになる。この２つの分散検出用信号は、例えば図１７に示すように、それぞれ、上記ｆ０（＝０Hz）を基準にすると、「ｆ０−Δｆ」、「ｆ０＋Δｆ」（Δｆは適切な値とすればよい）の周波数の信号となる。よって、この２つの分散検出用信号は、例えば図１９（ｂ）に示す関係となる。尚、これら２つの分散検出用信号は、上記“偶数サブキャリア”となるようにする。尚、２つの分散検出用信号は、OFDM変調信号のガードバンドに挿入する例に限らず、例えば２つの分散検出用信号に対して２つの未使用のサブキャリアを割り当てて、OFDM変調信号を生成するようにしてもよい。
【０１２４】
図１８は、図１６に示す送信機１７０に対応する受信機の構成図である。
図示の受信機１８０は、シリアル・パラレル変換部１８１、シンボルタイミング検出部１８２、各種タイミング信号生成部１８３、電力合成部１８４、分散検出用信号検出部１８５、選択部１８６、ＦＦＴ部１８８、及びパラレル・シリアル変換部１８７から成る。
【０１２５】
上記各構成のうち、分散検出用信号検出部１８５以外の構成は、図１１に示す構成と同じであるので、その説明は省略する。図１８の構成では、図１１における分散検出部１０５の代わりに、分散検出用信号検出部１８５を設けている。
【０１２６】
分散検出用信号検出部１８５は、図示の通り受信データを入力して、「分散あり」、「分散無し」の何れかを示す信号を、選択部１８６に対して出力する。尚、分散検出用信号検出部１８５は、シリアル・パラレル変換部１８１の出力を入力するようにしてもよい。
【０１２７】
以下、上記受信機１８０が備える分散検出用信号検出部１８５について、図１９を参照して説明する。
図１９（ａ）に示すように、分散検出用信号検出部１８５は、ＤＦＴ部１９１，１９２，１９３，１９４、相関器１９５，１９６、及び比較部１９７を有する。これら構成の機能自体は、上記図１２（ａ）のＤＦＴ部１１１〜１１４、相関器１１５，１１６、及び比較部１１７と同様であってよいが、ＤＦＴ部１１１〜１１４に関しては、入力するデータと処理対象が異なる。
【０１２８】
すなわち、図１２（ａ）の構成における各ＤＦＴ部には、受信信号又は合成信号が入力したが、図１９（ａ）に示す全てのＤＦＴ部１９１〜１９４には、受信信号が入力している。また、図１２（ａ）の構成における各ＤＦＴ部は、同一の偶数サブキャリアを対象とするＤＦＴ処理を行ったが、図１９（ａ）に示す構成では、ＤＦＴ部１９１と１９３は、第１分散検出用信号を対象とするＤＦＴ処理を行い、ＤＦＴ部１９２と１９４は、第２分散検出用信号を対象とするＤＦＴ処理を行う。また、ＤＦＴ部１９１と１９２は、第２サブシンボル時間Ｔ２でのDFT処理を行い、ＤＦＴ部１９３と１９４は、OFDMシンボル時間ＮでのDFT処理を行う。
【０１２９】
以上述べたことをまとめると、以下の通りとなる。
ＤＦＴ部１９１は、受信信号の第1分散検出用信号に対して第2サブシンボル時間Ｔ２でのDFT処理を行う。
【０１３０】
ＤＦＴ部１９２は、受信信号の第2分散検出用信号に対して第2サブシンボル時間Ｔ２でＤＦＴ処理を行う。
ＤＦＴ部１９３は、受信信号の第１分散検出用信号に対してシンボル時間ＮでのDFT処理を行う。
【０１３１】
ＤＦＴ部１９４は、受信信号の第2分散検出用信号に対してシンボル時間ＮでのＤＦＴ処理を行う。
そして、相関器１９５は、DFT１９１及びDFT１９２の出力信号の相関を求める。相関器１９６は、DFT１９３及びDFT１９４の出力信号の相関を求める。比較部１９７は、相関器１９５の出力と相関器１９６の出力とを入力し、両者の比較を行い、相関器１９５の出力値の方が大きい場合には「分散あり」を示す信号を、相関器１９６の出力値の方が大きい場合には「分散無し」を示す信号を、選択部１８６に対して出力する。
【０１３２】
受信信号が「分散あり」の場合、第2サブシンボル時間Ｔ２でのＤＦＴ処理ではサブキャリア間の干渉は生じないので、DFT１９１出力とDFT１９２出力との相関は1となる。一方、シンボル時間ＮでのＤＦＴ処理ではサブキャリア間の干渉が生じるので、DFT１９３出力とDFT１９４出力との相関は1とならない。
【０１３３】
同様に、受信信号が分散処理されていないものである場合は、DFT１９１出力とDFT１９２出力との相関は1とならず、DFT１９３出力とDFT１９４出力との相関は1となる。
よって、この相関値を比較することにより分散の有無について検出を行うことができる。
【０１３４】
尚、図１９（ｂ）、（ｃ）には第1、第２分散検出用信号のみ示すが、当然、受信信号には各サブキャリアも多重化されている。当然、各サブキャリアの周波数は、第1、第２分散検出用信号の周波数以外の周波数となる。そして、図１９（ｂ）〜（ｅ）に示す信号例では、各ＤＦＴ部１９１〜１９４は、サブキャリア間の干渉が生じない場合には‘１’を出力する。
【０１３５】
図２０は、ＣＤＭ変調方式に係る他の実施例における送信機の構成例である。
図示の送信機２００は、シリアル・パラレル変換部２０１、送信電力分散部２０２、送信電力ピーク検出部２０３、選択部２０４、パラレル・シリアル変換部２０５、各種タイミング信号生成回路２０６、拡散コード生成部２０７、各拡散器２０８、合成器２０９、及びシリアル・パラレル変換部２１０を有する。
【０１３６】
上記構成自体は、図１３に示す送信機１２０の構成とほぼ同じであるが、異なる点は、各拡散器２０８に、シリアル・パラレル変換部２０１の出力信号だけでなく、２つの分散検出用信号（第１分散検出用信号、第２分散検出用信号）も入力されており、拡散コード生成部２０７で生成される拡散コードのうち未使用の拡散コードを用いて、これら２つの分散検出用信号に対する拡散処理も行われている点である。
【０１３７】
そして、本例における条件としては、第１分散検出用信号と第２分散検出用信号を同じ値とすることである。１シンボルに１ビットのデータをのせるので、第１分散検出用信号と第２分散検出用信号は、シンボル毎に、両方とも‘０’か両方とも‘１’とすることになる。
【０１３８】
また、ここでは、拡散器２０８において、第１分散検出用信号に対してはコード［1 1 1 1 1 1 1 1］、第２分散検出用信号に対してはコード［1 1 -1 -1 1 1 -1 -1］を用いて拡散を行うものとし、その結果として得られる第１検出用信号（ａ）、第２検出用信号（ｂ）は、図２２（ｂ）に示すように、これらコード［1 1 1 1 1 1 1 1］、［1 1 -1 -1 1 1 -1 -1］そのものとなるようにしている（そうなるように、第１、第２分散検出用信号の値を予め設定しておく）。尚、第１分散検出用信号、第２分散検出用信号に対する拡散コードは、上記の例に限らないが、上記“Ｎ／２の周期で同じコードを繰返すコード”を用いる必要がある。
【０１３９】
図２１は、上記送信機２００に対応する受信機２２０の構成図である。
図２１に示す受信機２２０は、シリアル・パラレル変換部２２１、シンボルタイミング検出部２２２、各種タイミング信号生成部２２３、電力合成部２２４、分散検出用信号検出部２２５、選択部２２６、パラレル・シリアル変換部２２８、各相関器２２９、拡散コード生成部２３０、及びパラレル・シリアル変換部２２７を有する。
【０１４０】
図２１に示す受信機２２０と図１４に示す受信機１４０との違いは、受信機１４０における分散検出部１４５の代わりに、分散検出用信号検出部２２５が設けられている点である。尚、図示の例では分散検出用信号検出部２２５には、受信データがそのまま入力しているが、シリアル・パラレル変換部２２１出力を入力させるようにしてもよい。
【０１４１】
図２２（ａ）は、分散検出用信号検出部２２５の一例を示す図である。
図示の分散検出用信号検出部２２５は、相関器２４１、相関器２４２、相関器２４３、相関器２４４、相関器２４５、相関器２４６、及び比較部２４７を有する。これら各構成は、その機能自体は、図１５（ａ）に示す各構成と同様である。但し、相関器２４１〜相関器２４４に関しては、入力するデータと処理対象が異なる。
【０１４２】
すなわち、まず、図１５（ａ）の構成における各相関器１６１〜１６４には、受信信号又は合成信号が入力したが、図２２（ａ）に示す相関器２４１〜２４４の全てに、受信信号が入力している。更に、図１５（ａ）の各相関器１６１〜１６４は、上記“Ｎ／２の周期で同じコードを繰返すコード”の何れか１つ（但し、全ての相関器で同じコードを用いる）を用いて、相関処理を行ったが、図２２（ａ）における相関器２４１〜２４４では、第１、第２検出用信号の何れか一方に対応するコードを用いて、相関処理を行う。すなわち、相関器２４１，２４３は、第１分散検出用信号の拡散に用いたコード（上記の通り、［１１１１１１１１］）を用いて相関処理を行う。相関器２４２，２４４は、第２分散検出用信号の拡散に用いたコード（上記の通り、［１１-１-１１１-１-１］）を用いて相関処理を行う。
【０１４３】
また、相関器２４１，２４２は、第2サブシンボル時間Ｔ２での相関処理を行い、相関器２４３，２４４は、シンボル時間Ｎでの相関処理を行う。
以上述べたことをまとめると、以下の通りとなる。
【０１４４】
相関器２４１は、受信信号の第1検出用信号に対して第２サブシンボル時間Ｔ２での相関処理を行う。
相関器２４２は、受信信号の第２検出用信号に対して第２サブシンボル時間Ｔ２での相関処理を行う。
【０１４５】
相関器２４３は、受信信号の第1検出用信号に対してシンボル時間Ｎでの相関処理を行う。
相関器２４４は、受信信号の第２検出用信号に対してシンボル時間Ｎでの相関処理を行う。
【０１４６】
そして、相関器２４５は、相関器２４１と２４２の出力を入力して相関値を求め、比較部２４７に出力する。相関器２４６は、相関器２４３と２４４の出力を入力して相関値を求め、比較部２４７に出力する。比較部２４７は、相関器２４５、２４６の出力値を比較して、相関器２４６の出力の方が大きい場合には「分散なし」を示す信号を、相関器２４５の出力の方が大きい場合には「分散あり」を示す信号を、選択部２２６に対して出力する。
【０１４７】
図２２（ｂ）、（ｃ）には、各種信号が多重化された受信信号に含まれる第１、第２分散検出用信号のみを示すが、当然、他の信号も存在するので、コード間干渉には、他の信号とのコード間干渉も含まれる。
【０１４８】
図２２（ｂ）には、「分散なし」の場合の第１、第２検出用信号を示す。当然のことながら、図２０で説明した第１、第２検出用信号（ａ）、（ｂ）そのものとなる。一方、図２２（ｃ）に示す「分散あり」の場合の第１、第２検出用信号は、図示の通り、第１、第２検出用信号（ａ）、（ｂ）における第１サブシンボルの部分が信号なしの状態となる信号となる。
【０１４９】
従って、この例では、「分散あり」の場合には、相関器２４１、２４２における相関処理ではコード間の干渉が生じないので（そして、上記の通り、第１、第２分散検出用信号の値は同じであるので）、相関器２４１、２４２の出力は同一となり（例えば‘１’）、当然、相関器２４５の出力は‘１’となる。一方、「分散あり」の場合には、相関器２４３、２４４における相関処理ではコード間の干渉が生じる為、相関器２４６の出力は‘１’とはならない（１未満の値となる）。従って、比較部２４７は、「分散あり」を示す信号を出力する。
【０１５０】
同様に、「分散なし」の場合には、相関器２４５の出力は‘１’とはならず（１未満の値となる）、相関器２４６の出力は‘１’となるので、比較部２４７は、「分散なし」を示す信号を出力する。
【０１５１】
図２３（ａ）に、分散表示信号生成部５２の他の構成例を示す。
既に、分散表示信号生成部５２の構成例を図６（ａ）に示してあるが、この例に限らず、例えば図２３（ａ）に示すような構成等であってもよい。
【０１５２】
図２３（ａ）は、送信電力が分散されているか否かをASK信号として生成する例である。
発振器２５１は所定周波数の信号を出力する。本例では、その周期がシンボル長の半分である信号が生成・出力される。
【０１５３】
スイッチ２５２が、検出信号ｂによってＯＮ／ＯＦＦ制御され、図２３（ｂ）に示す通り、検出信号ｂが‘０’のときにＯＮ、‘１’のときにＯＦＦとなる。尚、検出信号ｂについては、既に、図６等で説明してある。
【０１５４】
上記スイッチ２５２の動作によって、検出信号ｂが‘０’のときの（分散なしの場合）分散表示信号は、図２３（ｃ）に示す通り、発振器２５１の出力信号となる。一方、検出信号ｂが‘１’のときの（分散ありの場合）分散表示信号は、図２３（ｄ）に示す通り、信号なしの状態となる。
【０１５５】
この様な分散表示信号を図５で説明した通り多重化するので、干渉を生じることなく、送信信号が複数のサブシンボルに分散された信号であるか否かを示す分散表示信号を多重化して送出することができる。
【０１５６】
図２４（ａ）は、分散表示信号生成部５２が図２３（ａ）の構成である場合の分散表示信号検出部７１の構成例である。すなわち、図８（ａ）に示す構成以外の他の構成例である。
【０１５７】
図２４（ａ）に示す例の分散表示信号検出部７１は、分散表示信号抽出部２６１、検波器２６２、識別器２６３、及びタイミング信号生成部２６４を有する。
タイミング信号生成部２６４は、入力するシンボルタイミング信号を、識別器２６３に対して出力する。識別器２６３は、このシンボルタイミング信号に基づいて、検波器２６２から出力される信号を、各シンボル毎に、予め設定される所定の閾値レベルと比較して、閾値レベルを超えた場合には「分散なし」を示す信号を出力し、閾値レベルを超えない場合には「分散あり」を示す信号を出力する。
【０１５８】
分散表示信号抽出部２６１は、具体的には、特定の周波数領域のみを通過させるフィルタ等である。当然、発振器２５１の出力信号の周波数のみを通過させる。従って、分散表示信号抽出部２６１は、「分散無し」の場合には、受信信号には図２３（ｃ）に示す分散表示信号が含まれるので、これを抽出するが、「分散あり」の場合には何も抽出できない（無信号が出力される）。「分散あり」の場合の分散表示信号は、図２３（ｄ）に示す通り無信号であるので、図２３（ｄ）に示す分散表示信号（無信号）が抽出されたと考えてよい。
【０１５９】
よって、検波器２６２による検波後の信号は、図２４（ｂ）に示す通り、「分散なし」の場合には一定レベル以上の信号となり、「分散あり」の場合にはほぼ‘０’レベルとなる。従って、上記識別器２６３による閾値レベルとの比較を行えば、分散有無を検出できる。
【０１６０】
（付記１）  送信機と受信機を備えた通信システムであって、
前記送信機は、
多重化された送信サンプル又は送信チップの各シンボル毎に、該シンボル内の各送信電力を測定し、該測定値が予め設定された閾値を超えるか否かを検出する送信電力ピーク検出手段と、
前記シンボル内の各送信電力を、該シンボル内を分割して成る複数のサブシンボルに分散することで、分散信号を生成・出力する電力分散手段とを有し、
前記送信電力ピーク検出手段によって前記測定値が予め設定された閾値を超えることが検出された場合には、前記電力分散手段から出力される前記分散信号を用いて前記受信機に対する送信を行い、
前記受信機は、
前記送信機が送信した信号を受信すると、該受信信号の各シンボル毎に、前記分散信号であるか否かを検出する分散検出手段と、
該分散検出手段によって前記分散信号であることが検出された場合、該シンボル内で前記複数のサブシンボルに分散された電力を合成する電力合成手段と、
を有することを特徴とする通信システム。
【０１６１】
（付記２）  多重化された送信サンプル又は送信チップの各シンボル毎に、該シンボル内の各送信電力を測定し、該測定値が予め設定された閾値を超えるか否かを検出する送信電力ピーク検出手段と、
前記シンボル内の各送信電力を、該シンボル内を分割して成る複数のサブシンボルに分散することで、分散信号を生成・出力する電力分散手段とを有し、
前記送信電力ピーク検出手段によって前記測定値が予め設定された閾値を超えることが検出された場合には、前記電力分散手段から出力される前記分散信号を用いて任意の受信機に対する送信信号を出力することを特徴とする送信機。
【０１６２】
（付記３）  任意の送信機が送信した信号を受信すると、該受信信号の各シンボル毎に、シンボル内の各送信電力を該シンボル内を分割して成る複数のサブシンボルに分散することで生成される分散信号であるか否かを検出する分散検出手段と、
該分散検出手段によって前記分散信号であることが検出された場合、該シンボル内で前記複数のサブシンボルに分散された電力を合成する電力合成手段と、
を有することを特徴とする受信機。
【０１６３】
（付記４）  前記送信電力ピーク検出手段が前記測定値が前記閾値を超えたことを検出した場合、前記シンボル内の送信電力を複数のサブシンボルに分散したことを示す分散表示信号を生成する分散表示信号生成手段と、
該分散表示信号を前記送信信号に多重化する分散表示信号多重化手段と、
を更に有することを特徴とする付記２記載の送信機。
【０１６４】
（付記５）  前記分散検出手段に代えて、前記受信信号から電力分散有無を示す分散表示信号を抽出し、この分散表示信号に基づいて送信電力の分散の有無を検出する分散表示信号検出手段を更に有することを特徴とする付記３記載の受信機。
【０１６５】
（付記６）  ＯＦＤＭ変調方式の通信である場合、
２つの分散検出用信号を用いて、ガードバンド又は未使用サブキャリアの帯域に、２つの分散検出用のサブキャリアを追加する分散信号多重化手段を更に有することを特徴とする付記２記載の送信機。
【０１６６】
（付記７）  ＯＦＤＭ変調方式の通信である場合、
前記受信信号が、ガードバンド又は未使用サブキャリアの帯域に、分散検出用のサブキャリアが追加されている信号である場合には、
前記分散検出手段に代えて、該分散検出用のサブキャリアを利用して送信電力の分散の有無を検出する分散検出用信号検出手段を更に有することを特徴とする付記３記載の受信機。
【０１６７】
（付記８）  ＣＤＭ変調方式の通信である場合、
２つの分散検出用信号に対して未使用の拡散符号を用いて拡散処理を行う拡散手段を更に有することを特徴とする付記２記載の送信機。
【０１６８】
（付記９）  ＣＤＭ変調方式の通信である場合、
前記受信信号に、２つの分散検出用信号が未使用の拡散符号によって拡散されてなる検出用信号が含まれている場合には、
前記分散検出手段に代えて、該検出用信号を利用して送信電力の分散の有無を検出する分散検出用信号検出手段を更に有することを特徴とする付記３記載の受信機。
【０１６９】
（付記１０）  送信機と受信機を備えた通信システムにおける通信方法であって、
前記送信機側では、多重化された送信サンプル又は送信チップの各シンボル毎に、該シンボル内の送信電力が所定の閾値を超えるか否かを検出し、閾値を越えたシンボルに関しては、該シンボル内の送信電力を、該シンボル内を分割して成る複数のサブシンボルに分散させた分散信号を生成して、該分散信号を前記受信機に送信し、
前記受信機側では、受信信号が前記分散信号であるか否かを検出し、分散信号である場合には、前記複数のサブシンボルに分散された電力を合成することを特徴とする通信方法。
【０１７０】
（付記１１）  送信機と受信機を備えた通信システムであって、
前記送信機は、
多重化された送信サンプル又は送信チップの１シンボル分のパラレル信号である複数のサンプル信号を入力し、該各サンプル信号の送信瞬時電力を測定し、何れか１以上の測定値が予め設定された閾値を超えるか否かを検出する送信電力ピーク検出手段と、
前記複数のサンプル信号を入力し、各サンプル信号の送信電力を、前記１シンボル内を分割して成る複数のサブシンボルに分散することで、複数の分散信号を生成・出力する電力分散手段と、
前記複数のサンプル信号と複数の分散信号とを入力し、前記送信電力ピーク検出手段による検出結果に応じて、該サンプル信号と分散信号の何れか一方を選択・出力する選択手段とを有し、
前記選択手段の出力を用いて前記受信機に対する送信を行い、
前記受信機は、
前記送信機が送信した信号を受信すると、該受信信号の1シンボル分をパラレル信号に変換して出力するシリアル・パラレル変換手段と、
該シリアル・パラレル変換手段の出力を入力し、前記受信信号の１シンボル分が複数のサブシンボルに分散されたものであるか否かを検出する分散検出手段と、
前記シンボルが複数のサブシンボルに分散されたものである場合、該複数のサブシンボルに分散された受信電力を合成する合成手段と、
を有することを特徴とする通信システム。
【０１７１】
（付記１２）  多重化された送信サンプル又は送信チップの１シンボル分のパラレル信号である複数のサンプル信号を入力し、該各サンプル信号の送信瞬時電力を測定し、何れか１以上の測定値が予め設定された閾値を超えるか否かを検出する送信電力ピーク検出手段と、
前記複数のサンプル信号を入力し、各サンプル信号の送信電力を、前記１シンボル内を分割して成る複数のサブシンボルに分散することで、複数の分散信号を生成・出力する電力分散手段と、
前記複数のサンプル信号と複数の分散信号とを入力し、前記送信電力ピーク検出手段による検出結果に応じて、該サンプル信号と分散信号の何れか一方を選択・出力する選択手段とを有し、
前記選択手段の出力を用いて任意の受信機に対する送信信号を送出することを特徴とする送信機。
【０１７２】
（付記１３）  任意の送信機が送信した信号を受信すると、該受信信号の1シンボル分をパラレル信号に変換して出力するシリアル・パラレル変換手段と、
該シリアル・パラレル変換手段の出力を入力し、前記受信信号の１シンボル分が複数のサブシンボルに分散されたものであるか否かを検出する分散検出手段と、
前記シンボルが複数のサブシンボルに分散されたものである場合、該複数のサブシンボルに分散された受信電力を合成する合成手段と、
を有することを特徴とする受信機。
【０１７３】
（付記１４）  ＯＦＤＭ変調方式の通信である場合、
前記分散検出手段は、
前記シリアル・パラレル変換手段の出力又は前記合成手段の出力を入力して、任意の偶数サブキャリアに対するＤＦＴ処理を実行する複数のＤＦＴ手段と、
該複数のＤＦＴ手段のうちの特定のペアとなるＤＦＴ手段の出力を入力して相関を求める２つの相関器とを有し、
該２つの相関器の出力を比較することで、前記受信信号の１シンボルが複数のサブシンボルに分散されたものであるか否かを検出することを特徴とする付記１３記載の受信機。
【０１７４】
（付記１５）  ＣＤＭ変調方式の通信である場合、前記分散検出手段に代えて、
前記シリアル・パラレル変換手段の出力又は前記合成手段の出力を入力して、特定の直交コードを用いて相関処理を実行する複数の相関手段と、
該複数の相関手段のうちの特定のペアとなる相関手段の出力を入力して相関を求める２つの相関器とを更に有し、
該２つの相関器の出力を比較することで、前記受信信号の１シンボルが複数のサブシンボルに分散されたものであるか否かを検出することを特徴とする付記１３記載の受信機。
【０１７５】
（付記１６）  ＯＦＤＭ変調方式の通信である場合であって、前記受信信号が、ガードバンド又は未使用サブキャリアの帯域に、分散検出用のサブキャリアが追加されている信号である場合には、前記分散検出手段に代えて、
それぞれが、前記シリアル・パラレル変換手段の出力を入力して前記２つの分散検出用サブキャリアの何れか一方を対象とするＤＦＴ処理を実行する複数のＤＦＴ手段と、
該複数のＤＦＴ手段のうちの特定のペアとなるＤＦＴ手段の出力を入力して相関を求める２つの相関器とを更に有し、
該２つの相関器の出力を比較することで、前記受信信号の１シンボルが複数のサブシンボルに分散されたものであるか否かを検出することを特徴とする付記１３記載の受信機。
【０１７６】
（付記１７）  ＣＤＭ変調方式の通信である場合であって、前記受信信号に、２つの分散検出用信号が未使用の拡散符号によって拡散されてなる信号が含まれている場合には、前記分散検出手段に代えて、
それぞれが、前記シリアル・パラレル変換手段の出力を入力して、前記拡散符号を用いて相関処理を実行する複数の相関手段と、
該複数の相関手段のうちの特定のペアとなる相関手段の出力を入力して相関を求める２つの相関器とを更に有し、
該２つの相関器の出力を比較することで、前記受信信号の１シンボルが複数のサブシンボルに分散されたものであるか否かを検出することを特徴とする付記１３記載の受信機。
【０１７７】
（付記１８）  前記電力分散手段は、複数の前記サンプル信号の組毎に、該複数の前記サンプル信号の和を出力する加算器と、該複数の前記サンプル信号の差を出力する減算器と、該加算機、減算器の各々の出力信号の電力を減衰する減衰器とを有し、該各減衰器は、各々、前記各サブシンボルに対応付けられることを特徴とする付記１２記載の送信機。
【０１７８】
（付記１９）  前記合成手段は、前記受信信号のシンボル内の各受信サンプル信号の組毎に、該複数の受信サンプル信号の和を求める加算器と、該複数の受信サンプル信号の差を求める減算器とを有し、該加算器、減算器は、各々、前記各サブシンボルに対応付けられることを特徴とする付記１３記載の受信機。
【図面の簡単な説明】
【０１７９】
【図１】本例のディジタル通信システムの第１の基本構成における送信機の構成を示すブロック図である。
【図２】（ａ）は電力分散部の構成例、（ｂ）は送信信号P0の電力分布、（ｃ）は分散信号P1の電力分布の一例を示す図である。
【図３】本例のディジタル通信システムの第１の基本構成における受信機の構成を示すブロック図である。
【図４】（ａ）は受信電力合成部の構成例、（ｂ）は受信信号P2の電力分布、（ｃ）は合成信号P3の電力分布の一例を示す図である。
【図５】本例のディジタル通信システムの第２の基本構成における送信機の構成を示すブロック図である。
【図６】（ａ）、（ｂ）は分散表示信号を生成する構成の一例とその各種信号を示す図、（ｃ）、（ｄ）は分散表示信号の一例である。
【図７】本例のディジタル通信システムの第２の基本構成における受信機の構成を示すブロック図である。
【図８】（ａ）は分散表示信号検出部の構成の一例を示すブロック図、（ｂ）、（ｃ）は検出される分散表示信号の一例である。
【図９】本手法をOFDM変調方式に適用した場合の送信機の一例（その１）を示すブロック図である。
【図１０】本手法をOFDM変調方式に適用した場合の送信機の一例（その２）を示すブロック図である。
【図１１】本手法をOFDM変調方式に適用した場合の受信機の一例を示すブロック図である。
【図１２】（ａ）は図１１の受信機における分散検出部の構成の一例を示すブロック図、（ｂ）〜（ｅ）は分散有り／無しの場合の受信信号／合成信号の一例である。
【図１３】本手法をＣＤＭ変調方式に適用した場合の送信機の一例を示すブロック図である。
【図１４】本手法をＣＤＭ変調方式に適用した場合の受信機の一例を示すブロック図である。
【図１５】（ａ）は図１４の受信機における分散検出部の構成の一例を示すブロック図、（ｂ）〜（ｅ）は分散有り／無しの場合の受信信号／合成信号の一例である。
【図１６】ＯＦＤＭ変調方式に係る他の実施例における送信機の構成例である。
【図１７】図１６の他の実施例に係る送信スペクトラムの一例を示す図である。
【図１８】図１６に示す送信機に対応する受信機の構成図である。
【図１９】（ａ）は図１８の受信機の分散検出部の一例を示す図、（ｂ）、（ｃ）は分散有り／無しの場合の受信信号の一例である。
【図２０】ＣＤＭ変調方式に係る他の実施例における送信機の構成例である。
【図２１】図２０の送信機に対応する受信機の構成図である。
【図２２】（ａ）は図２１に示す受信機における分散検出用信号検出部の構成の一例を示す図、（ｂ）、（ｃ）は分散有り／無しの場合の受信信号の一例である。
【図２３】（ａ）、（ｂ）は分散表示信号を生成する構成の他の例とその各種信号を示す図、（ｃ）、（ｄ）は分散表示信号の一例である。
【図２４】（ａ）〜（ｄ）は、図２３に示す構成に対応する分散表示信号検出部の構成例、及びその各種信号の一例である。
【符号の説明】
【０１８０】
１０  送信機
１１  シリアル・パラレル変換部
１２  電力分散部
１３  送信電力ピーク検出部
１４  選択部
１５  パラレル・シリアル変換部
１６  各種タイミング信号生成回路
２１  加算器
２２  減算器
２３  減衰器
３０  受信機
３１  シリアル・パラレル変換部
３２  シンボルタイミング検出部
３３  各種タイミング信号生成部
３４  電力合成部
３５  分散検出部
３６  選択部
３７  パラレル・シリアル変換部
４１  加算器
４２  減算器
５０  送信機
５１  分散表示信号多重化部
５２  分散表示信号生成部
６１  発振器
６２  ＮＯＴ回路
６３  スイッチ
６４  スイッチ
６５  ON/OFF信号生成部
７０  受信機
７１  分散表示信号検出部
８１  タイミング信号生成部
８２  スイッチ
８３  分散表示信号抽出部
８４  直交復調部
８５  識別器
９０  送信機
９１  シリアル・パラレル変換部
９２  送信電力分散部
９３  送信電力ピーク検出部
９４  選択部
９５  パラレル・シリアル変換部
９６  各種タイミング信号生成回路
１００  受信機
１０１  シリアル・パラレル変換部
１０２  シンボルタイミング検出部
１０３  各種タイミング信号生成部
１０４  電力合成部
１０５  分散検出部
１０６  選択部
１１１，１１２，１１３，１１４  ＤＦＴ部
１１５，１１６  相関器
１１７  比較部
１２０  送信機
１２１  シリアル・パラレル変換部
１２２  送信電力分散部
１２３  送信電力ピーク検出部
１２４  選択部
１２５  パラレル・シリアル変換部
１２６  各種タイミング信号生成回路
１２７  拡散コード生成部
１２８  拡散器
１２９  合成器
１３０  シリアル・パラレル変換部
１４０  受信機
１４１  シリアル・パラレル変換部
１４２  シンボルタイミング検出部
１４３  各種タイミング信号生成部
１４４  電力合成部
１４５  分散検出部
１４６  選択部
１４７  パラレル・シリアル変換部
１４８  パラレル・シリアル変換部
１４９  各相関器
１５０  拡散コード生成部
１６１  相関器
１６２  相関器
１６３  相関器
１６４  相関器
１６５  相関器
１６６  相関器
１６７  比較部
１７０  送信機
１７１  シリアル・パラレル変換部
１７２  送信電力分散部
１７３  送信電力ピーク検出部
１７４  選択部
１７５  パラレル・シリアル変換部
１７６  各種タイミング信号生成回路
１７７  ＩＦＦＴ部
１８０  受信機
１８１  シリアル・パラレル変換部
１８２  シンボルタイミング検出部
１８３  各種タイミング信号生成部
１８４  電力合成部
１８５  分散検出用信号検出部
１８６  選択部
１８７  パラレル・シリアル変換部
１８８  ＦＦＴ部
１９１，１９２，１９３，１９４  ＤＦＴ部
１９５，１９６  相関器
１９７  比較部
２００  送信機
２０１  シリアル・パラレル変換部
２０２  送信電力分散部
２０３  送信電力ピーク検出部
２０４  選択部
２０５  パラレル・シリアル変換部
２０６  各種タイミング信号生成回路
２０７  拡散コード生成部
２０８  拡散器
２０９  合成器
２１０  シリアル・パラレル変換部
２２０  受信機
２２１  シリアル・パラレル変換部
２２２  シンボルタイミング検出部
２２３  各種タイミング信号生成部
２２４  電力合成部
２２５  分散検出用信号検出部
２２６  選択部
２２７  パラレル・シリアル変換部
２２８  パラレル・シリアル変換部
２２９  各相関器
２３０  拡散コード生成部
２４１  相関器
２４２  相関器
２４３  相関器
２４４  相関器
２４５  相関器
２４６  相関器
２４７  比較部
２５１  発振器
２５２  スイッチ
２６１  分散表示信号抽出部
２６２  検波器
２６３  識別器
２６４  タイミング信号生成部
３０１  シリアル・パラレル変換部
３０２  マッピング回路
３０３  ＩＦＦＴ部
３０４  Ｐ／Ｓ部（パラレル・シリアル変換部）
３１１  ＦＦＴ部
３１２  パラレル・シリアル変換部
【図１】
2008011508.tif 000007
【図２】
2008011508.tif 000008
【図３】
2008011508.tif 000009
【図４】
2008011508.tif 000010
【図５】
2008011508.tif 000011
【図６】
2008011508.tif 000012
【図７】
2008011508.tif 000013
【図８】
2008011508.tif 000014
【図９】
2008011508.tif 000015
【図１０】
2008011508.tif 000016
【図１１】
2008011508.tif 000017
【図１２】
2008011508.tif 000018
【図１３】
2008011508.tif 000019
【図１４】
2008011508.tif 000020
【図１５】
2008011508.tif 000021
【図１６】
2008011508.tif 000022
【図１７】
2008011508.tif 000023
【図１８】
2008011508.tif 000024
【図１９】
2008011508.tif 000025
【図２０】
2008011508.tif 000026
【図２１】
2008011508.tif 000027
【図２２】
2008011508.tif 000028
【図２３】
2008011508.tif 000029
【図２４】
2008011508.tif 000030